(57)【要約】【課題】プリント基板に対するコンデンサのはんだ付けを含む固定作業を簡単且つ確実に行うことができ、径の異なるコンデンサをも緩みなく固定することが可能なコンデンサホルダを提供する。【解決手段】プリント基板Ｐと接するベース２と、ベース２に一体で形成されて互いに対向してベース２上に横置きに寝かせた状態の筒状のコンデンサＣを径方向両側から挟む一対の立壁３，３と、ベース２に一体で形成されてプリント基板Ｐに形成された固定孔Ｐａに係止する係止部４を備え、ベース２の中央は、一対の立壁３，３間で横置きに寝かせた状態におけるコンデンサＣの軸心の下側部分に当接する下側支持部２ａとして形成され、一対の立壁３，３の各上端には、互いに接近する方向に突出してコンデンサＣの軸心の上側部分に当接する上側支持部３ａが形成されている。【選択図】図１
2011151184.tif 000002
【特許請求の範囲】
【請求項１】
筒状のコンデンサをプリント基板上に横置きに寝かせた状態で固定するコンデンサホルダであって、
前記プリント基板と接するベースと、
このベースに一体で形成されて互いに対向して前記ベース上に横置きに寝かせた状態のコンデンサを径方向両側から挟む一対の立壁と、
前記ベース又は立壁に一体で形成されて前記プリント基板に形成された固定孔に係止する係止部を備え、
前記ベースの少なくとも一箇所は、前記一対の立壁間で横置きに寝かせた状態におけるコンデンサの軸心の下側部分に当接する下側支持部として形成され、
前記一対の立壁の各上端には、互いに接近する方向に突出して該一対の立壁間で横置きに寝かせた状態におけるコンデンサの軸心の上側部分に当接する上側支持部が形成されている
ことを特徴とするコンデンサホルダ。
【請求項２】
前記一対の立壁の各上端に形成された上側支持部には、弾性変形して前記コンデンサの軸心の上側部分を押圧する突起が形成されている請求項１に記載のコンデンサホルダ。
【請求項３】
前記プリント基板と接するベースには、弾性変形して該プリント基板を押圧する突起が形成されている請求項１又は２に記載のコンデンサホルダ。
【請求項４】
前記係止部は、前記一対の立壁の各下端にそれぞれ一体で形成されて、該一対の立壁の各上側支持部同士が離間する方向に移動するのに伴って互いに接近して前記プリント基板の固定孔にそれぞれ係止されると共に、該一対の立壁の各上側支持部同士を接近させるのに伴って互いに離間して前記プリント基板の固定孔に対する係止状態がそれぞれ解除される請求項１〜３のいずれか一つの項に記載のコンデンサホルダ。
【請求項５】
前記一対の立壁には、該一対の立壁間に前記コンデンサを位置させた状態において、前記プリント基板の固定孔に係止される前記係止部とともに前記プリント基板を挟み込むストッパが形成されている請求項４に記載のコンデンサホルダ。
【請求項６】
前記係止部には、前記プリント基板に形成された固定孔の縁部に弾性変形しつつ圧接して前記ベースに対して前記プリント基板に向かう方向の力を付与する斜片が形成されている請求項１〜５のいずれか一つの項に記載のコンデンサホルダ。
【請求項７】
前記係止部は、前記プリント基板に形成された一対の固定孔又は一つの固定孔の縁部に弾性変形してそれぞれ係止する互いに対向する一対の脚片から成っている請求項１〜３のいずれか一つの項に記載のコンデンサホルダ。
【発明の詳細な説明】
【技術分野】
【０００１】
本発明は、一端からリード端子が引き出され、他端側を防爆部としたコンデンサをプリント基板に固定するのに用いられるコンデンサホルダに関するものである。
【背景技術】
【０００２】
従来、上記したコンデンサホルダとしては、例えば、特許文献１に開示されているものがある。
このコンデンサホルダは、筒状を成してコンデンサの防爆部と嵌合するホルダ本体と、このホルダ本体と一体に形成された弾性変形可能な一対の爪部を備えている。
このコンデンサホルダでコンデンサをプリント基板に固定するには、まず、コンデンサホルダのホルダ本体とコンデンサの防爆部とを嵌合し、次いで、互いに嵌合する両者をプリント基板上に横置きに寝かせつつ、プリント基板に形成されたリード挿通孔にコンデンサのリード端子を挿入すると共に、爪部を同じくプリント基板に形成された固定孔に係合させた後、リード端子をパターンにはんだ付けするようになっている。
【先行技術文献】
【特許文献】
【０００３】
【特許文献１】特願2001-144400号公報
【発明の概要】
【発明が解決しようとする課題】
【０００４】
ところが、上記したコンデンサホルダにおいて、コンデンサをプリント基板に固定するにあたって、筒状のホルダ本体にコンデンサの防爆部を嵌合したうえで、プリント基板のリード挿通孔に対するコンデンサのリード端子の挿入や、プリント基板の固定孔に対するコンデンサホルダの爪部の係合を行うようにしているので、リード端子をパターンにはんだ付けするまでに、ホルダ本体に対してコンデンサがずれたり回ったりしてしまうことが多々あり、固定作業、特にはんだ付け作業の効率低下の要因となっているという問題があった。
【０００５】
また、筒状のホルダ本体にコンデンサの防爆部を嵌合する都合上、径が異なるコンデンサの固定に対応することができないという問題があり、これらの問題を解決することが従来の課題となっていた。
本発明は、上記した従来の課題に着目してなされたもので、プリント基板に対するコンデンサのはんだ付けを含む固定作業を簡単且つ確実に行うことができ、加えて、径の異なるコンデンサをも緩みなく固定することが可能であるコンデンサホルダを提供することを目的としている。
【課題を解決するための手段】
【０００６】
上記目的を達成するために、本発明の請求項１に係る発明は、筒状のコンデンサをプリント基板上に横置きに寝かせた状態で固定するコンデンサホルダであって、前記プリント基板と接するベースと、このベースに一体で形成されて互いに対向して前記ベース上に横置きに寝かせた状態のコンデンサを径方向両側から挟む一対の立壁と、前記ベース又は立壁に一体で形成されて前記プリント基板に形成された固定孔に係止する係止部を備え、前記ベースの少なくとも一箇所は、前記一対の立壁間で横置きに寝かせた状態におけるコンデンサの軸心の下側部分に当接する下側支持部として形成され、前記一対の立壁の各上端には、互いに接近する方向に突出して該一対の立壁間で横置きに寝かせた状態におけるコンデンサの軸心の上側部分に当接する上側支持部が形成されている構成としたことを特徴としており、このコンデンサホルダの構成を前述した従来の課題を解決するための手段としている。
【０００７】
本発明の請求項１に係るコンデンサホルダでは、まず、プリント基板に形成された固定孔に係止部を係止して、ベースをプリント基板と接するようにして取り付け、次いで、このプリント基板上のベースにおける一対の立壁間にコンデンサを横置きに寝かせた状態ではめ込むと共に、プリント基板に形成されたリード挿通孔にコンデンサのリード端子を挿入した後、リード端子をパターンにはんだ付けすると、コンデンサのプリント基板に対する固定作業が完了することとなる。
【０００８】
このように、プリント基板に対するコンデンサホルダの取り付けや、このコンデンサホルダに対するコンデンサの取り付けが、いずれもワンタッチで行うことができるので、作業効率が向上することとなる。
また、ベースにおける一対の立壁間にコンデンサを横置きに寝かせた状態ではめ込むと、ベースの少なくとも一箇所に形成された下側支持部がコンデンサの軸心の下側部分に当接してこれを支え、一方、一対の立壁の各上端に形成された互いに接近する方向に突出する上側支持部がコンデンサの軸心の上側部分に両側から当接してこれを支えるので、コンデンサは少なくとも３点で保持されることとなり、したがって、同じサイズのコンデンサはもとより、径が若干異なっているコンデンサであったとしても、緩み無く確実に固定されることとなる。
【０００９】
この場合、一対の立壁の各上端に位置する上側支持部は、コンデンサの軸心の上側部分に両側から当接するので、すなわち、コンデンサの斜め上側に当接するので、プリント基板上のコンデンサ固定部位における高さ寸法は、コンデンサの直径にコンデンサホルダのベースの厚みを加えた程度になり、その結果、省スペース化にも対応し得ることとなる。
この際、コンデンサホルダのベースに切欠きを設けてコンデンサの軸心の下側部分を切欠きの縁及びプリント基板で受けるようにしたり、さらに、プリント基板にも切欠きを設けてこの切欠きにコンデンサの軸心の下側部分を落とし込むようにしたりすれば、プリント基板上のコンデンサ固定部位における高さ寸法をより低くすることができる。
【００１０】
さらに、ベースにおける一対の立壁間には、コンデンサの防爆部側端部及びリード端子が引き出される側の端部のいずれをも位置させることができるので、使い勝手が良いものとなり、加えて、このコンデンサホルダを二個用いてコンデンサの固定を行い得ることとなる。
ここで、ベースにコンデンサの軸方向の位置決め部や軸方向の移動規制部を形成する場合には、コンデンサホルダに方向性が生じるが、このような方向性があるコンデンサホルダをプリント基板に対して誤った向きで取り付けるのを防ぐために、例えば、プリント基板には位置決め孔を設け、これと嵌合する位置決め突起などの方向性識別部をコンデンサホルダのベースや係止部に設けることが望ましい。
【００１１】
本発明の請求項２に係るコンデンサホルダにおいて、前記一対の立壁の各上端に形成された上側支持部には、弾性変形して前記コンデンサの軸心の上側部分を押圧する突起が形成されている構成としている。
このような構成を採用すると、一対の立壁の各上端に形成された上側支持部の各突起がコンデンサを斜め上側から弾性変形しつつ押圧するので、コンデンサの径寸法にばらつきがあったとしても、緩み無く確実に固定し得ることとなる。
【００１２】
さらに、本発明の請求項３に係るコンデンサホルダにおいて、前記プリント基板と接するベースには、弾性変形して該プリント基板を押圧する突起が形成されている構成としている。
この場合には、ベースに形成された突起が弾性変形しつつプリント基板を押圧するので、プリント基板の厚さ寸法にばらつきがあったとしても、このプリント基板に対してコンデンサホルダをがたつくこと無く装着し得ることとなる。
【００１３】
さらにまた、本発明の請求項４に係るコンデンサホルダにおいて、前記係止部は、前記一対の立壁の各下端にそれぞれ一体で形成されて、該一対の立壁の各上側支持部同士が離間する方向に移動するのに伴って互いに接近して前記プリント基板の固定孔にそれぞれ係止されると共に、該一対の立壁の各上側支持部同士を接近させるのに伴って互いに離間して前記プリント基板の固定孔に対する係止状態がそれぞれ解除される構成としている。
【００１４】
このような構成とした場合には、一対の立壁に一体で形成された各上側支持部と各係止部とが、互いに連動して相反する方向にそれぞれ移動するので、一対の立壁間にコンデンサを位置させた状態では、このコンデンサによって上側支持部同士が互いに離間する方向に移動すると、各係止部が互いに接近してプリント基板の固定孔にそれぞれ係止されることとなる。
【００１５】
一方、一対の立壁間にコンデンサを配置しない状態において、上側支持部同士を互いに接近させるべく摘むように操作すると、各係止部が互いに離間してプリント基板の固定孔をほぼ干渉せずに通過し得るようになるので、コンデンサホルダのプリント基板に対する着脱が容易に成されることとなる。
さらにまた、本発明の請求項５に係るコンデンサホルダにおいて、前記一対の立壁には、該一対の立壁間に前記コンデンサを位置させた状態において、前記プリント基板の固定孔に係止される前記係止部とともに前記プリント基板を挟み込むストッパが形成されている構成としている。
【００１６】
このような構成とした場合には、コンデンサホルダをプリント基板に対してより一層強固に固定し得るうえ、コンデンサにより押し広げられている一対の立壁の各上側支持部からの反力により、コンデンサホルダによるコンデンサの保持力もアップすることとなる。
さらにまた、本発明の請求項６に係るコンデンサホルダにおいて、前記係止部には、前記プリント基板に形成された固定孔の縁部に弾性変形しつつ圧接して前記ベースに対して前記プリント基板に向かう方向の力を付与する斜片が形成されている構成としている。
【００１７】
このような構成を採用すると、係止部がプリント基板の固定孔にがたつき無く保持されるうえ、ベースがプリント基板に圧接するようになることから、上記と同様に、基板の厚さ寸法にばらつきがあったとしても、このプリント基板に対してコンデンサホルダをがたつくこと無く装着し得ることとなる。
さらにまた、本発明の請求項７に係るコンデンサホルダにおいて、前記係止部は、前記プリント基板に形成された一対の固定孔又は一つの固定孔の縁部に弾性変形してそれぞれ係止する互いに対向する一対の脚片から成っている構成としている。
【００１８】
この場合、係止部である一対の脚片は、プリント基板に形成された一対の固定孔又は一つの固定孔の縁部に突っ張るような状態で係止するようになることから、プリント基板に対してコンデンサホルダをがたつくこと無く装着し得ることとなる。
【発明の効果】
【００１９】
本発明の請求項１に係るコンデンサホルダでは、上記した構成としているので、プリント基板に対するコンデンサのはんだ付けを含む固定作業を簡単且つ確実に行うことができると共に、径の異なるコンデンサをも緩みなく固定することが可能であり、加えて、省スペース化にも寄与することができるという非常に優れた効果がもたらされる。
また、本発明の請求項２に係るコンデンサホルダでは、上記した構成としているので、コンデンサの径寸法にばらつきがあったとしても、緩み無く確実に固定することが可能であるという非常に優れた効果がもたらされる。
【００２０】
さらに、本発明の請求項３に係るコンデンサホルダでは、上記した構成としているので、プリント基板の厚さ寸法にばらつきがあったとしても、プリント基板に対してコンデンサホルダ自体を緩み無く装着することが可能であるという非常に優れた効果がもたらされる。
さらにまた、本発明の請求項４に係るコンデンサホルダでは、上記した構成としたから、コンデンサホルダ自体をプリント基板に対して緩み無く装着することが可能であるうえ、プリント基板に対する着脱を簡単に行うことができるという非常に優れた効果がもたらされる。
【００２１】
さらにまた、本発明の請求項５に係るコンデンサホルダでは、上記した構成としたから、コンデンサホルダ自体をプリント基板に対してより一層強固に固定することができ、加えて、コンデンサの保持力も高めることが可能であるという非常に優れた効果がもたらされる。
さらにまた、本発明の請求項６に係るコンデンサホルダでは、上記した構成としているので、プリント基板の固定孔の口径寸法や基板の厚さ寸法にばらつきがあったとしても、このプリント基板に対してコンデンサホルダ自体をがたつくこと無く強固に装着することが可能であるという非常に優れた効果がもたらされる。
【００２２】
さらにまた、本発明の請求項７に係るコンデンサホルダでは、上記した構成としているので、プリント基板における一対の固定孔の間隔又は一つの固定孔の大きさにばらつきがあったとしても、このプリント基板に対してコンデンサホルダ自体をがたつくこと無くより強固に装着することが可能であるという非常に優れた効果がもたらされる。
【図面の簡単な説明】
【００２３】
【図１】本発明の一実施例に係るコンデンサホルダの使用状態を示す斜視説明図（ａ），コンデンサの組み付け要領を示す正面方向からの説明図（ｂ）及びコンデンサの保持状況を示す正面方向からの説明図（ｃ）である。
【図２】図１におけるコンデンサホルダのプリント基板への組み付け要領を示す正面方向からの説明図である。
【図３】図１におけるコンデンサホルダの他の構成例を示す平面説明図（ａ），正面説明図（ｂ）及びプリント基板の好適例を示す斜視説明図（ｃ）である。
【図４】図１におけるコンデンサホルダの他の使用状態を示す側面方向からの説明図（ａ）及びさらに他の使用状態を示す側面方向からの説明図（ｂ）である。
【図５】本発明の他の実施例に係るコンデンサホルダを示す正面説明図（ａ）及びさらに他の実施例に係るコンデンサホルダを示す正面説明図（ｂ）である。
【図６】本発明のさらに他の実施例に係るコンデンサホルダを示す正面説明図（ａ）及び側面説明図（ｂ）である。
【図７】図６におけるコンデンサホルダのプリント基板への組み付け要領を示す正面方向からの説明図（ａ）〜（ｃ）である。
【発明を実施するための形態】
【００２４】
以下、本発明を図面に基づいて説明する。
図１及び図２は本発明に係るコンデンサホルダの一実施例を示している。
図１（ａ）に示すように、このコンデンサホルダ１は、筒状のコンデンサＣをプリント基板Ｐ上に横置きに寝かせた状態で固定するコンデンサホルダであって、ポリフェニレンサルファイド樹脂等の熱可塑性樹脂から成っている。
【００２５】
このコンデンサホルダ１は、図１（ｂ）にも示すように、プリント基板Ｐと接するベース２と、このベース２に一体で形成されて互いに対向してベース２上に横置きに寝かせた状態のコンデンサＣを径方向両側から挟む一対の立壁３，３と、ベース２に一体で形成されてプリント基板Ｐに形成された固定孔Ｐａに圧入して係止する一対の係止部４，４を備えている。
【００２６】
この場合、ベース２の一対の立壁３，３間における中央を下側支持部２ａとして形成してある。一方、立壁３，３の各上端には互いに接近する方向に突出する上側支持部３ａ，３ａが形成してあり、これらの上側支持部３ａ，３ａには、図１（ｂ）に拡大して示すように、コンデンサＣの軸心の上側部分を弾性変形しながら押圧する突起３ｂ，３ｂがそれぞれ部分的に形成してある。なお、この突起３ｂは、上側支持部３ａにコンデンサＣの軸心方向に連続して形成してあってもよい。
【００２７】
つまり、このコンデンサホルダ１では、図１（ｃ）にも示すように、一対の立壁３，３間に位置するコンデンサＣの軸心の下側部分に下側支持部２ａを当接させて支持すると共に、軸心の上側部分における所定の範囲（図１（ｃ）における角度θ１から角度θ２を減じた斜線部分）を上側支持部３ａ，３ａの各突起３ｂ，３ｂで押圧するように成すことによって、コンデンサＣを３点で保持するようになっている。
【００２８】
また、ベース２の一対の立壁３，３が位置する両サイドのプリント基板Ｐ側には、図２に拡大して示すように、プリント基板Ｐを弾性変形しつつ押圧する突起２ｂ，２ｂがそれぞれ部分的に形成してある。なお、この突起２ｂも、ベース２にコンデンサＣの軸心方向に連続して形成してあってもよい。
さらに、このコンデンサホルダ１の一対の係止部４には、図２に拡大して示すように、プリント基板Ｐの固定孔Ｐａに圧入した状態において、この固定孔Ｐａの縁部に弾性変形しつつ圧接することで、ベース２に対して該プリント基板Ｐに向かう方向の力（引き付け力）を付与する斜片４ａが形成してある。
【００２９】
なお、図中における符号５は軸方向規制部であり、コンデンサＣの防爆部Ｃａと当接して軸方向の移動を規制するものとなっている。この軸方向規制部５を形成する場合には、コンデンサホルダ１に方向性が発生することになるが、この方向性があるコンデンサホルダ１をプリント基板Ｐに対して正しく取り付けるために、プリント基板Ｐに形成した位置決め孔Ｐｂと嵌合する位置決め突起（方向性識別部）６がベース２に設けてある。
【００３０】
このような構成のコンデンサホルダ１において、まず、図２に示すように、プリント基板Ｐに形成された固定孔Ｐａに係止部４を圧入係止すると共に、位置決め孔Ｐｂに位置決め突起６を嵌合させて、ベース２をプリント基板Ｐと接するようにして取り付ける。
このとき、係止部４の斜片４ａが、固定孔Ｐａの縁部に弾性変形しつつ圧接することで、ベース２に対して該プリント基板Ｐに向かう方向の力（引き付け力）が与えられることから、ベース２がプリント基板Ｐに圧接するようになり、加えて、このベース２のプリント基板Ｐ側に形成された突起２ｂ，２ｂが、弾性変形しつつプリント基板Ｐを押圧するので、プリント基板Ｐの厚さ寸法にばらつきがあったとしても、このプリント基板Ｐに対してコンデンサホルダ１自体をがたつくこと無く装着し得ることとなる。
【００３１】
次いで、図１（ｂ）に示すように、このプリント基板Ｐ上のベースにおける一対の立壁３，３の上側支持部３ａ，３ａを押し広げつつこれらの立壁３，３間にコンデンサＣの防爆部Ｃａ側端部を横置きに寝かせた状態ではめ込むと共に、プリント基板Ｐに形成されたリード挿通孔ＰｃにコンデンサＣのリード端子Ｃｂを挿入した後、リード端子Ｃｂをパターンにはんだ付けすると、コンデンサＣのプリント基板Ｐに対する固定作業が完了することとなる。
【００３２】
このように、プリント基板Ｐに対するコンデンサホルダ１の取り付けや、このコンデンサホルダ１に対するコンデンサＣの取り付けが、いずれもワンタッチで行うことができるので、作業効率が向上することとなる。
また、このコンデンサホルダ１では、ベース２における一対の立壁３，３間にコンデンサＣの防爆部Ｃａを横置きに寝かせた状態ではめ込むと、図１（ｃ）に示すように、一対の立壁３，３間に位置するコンデンサＣの軸心の下側部分に下側支持部２ａが当接してこれを支え、一方、上側支持部３ａ，３ａがコンデンサＣの斜線部分に斜め上側から当接してこれを支えるので、コンデンサＣは３点で保持されることとなり、加えて、上側支持部３ａ，３ａの各突起３ｂ，３ｂがコンデンサＣを弾性変形しつつ押圧するので、したがって、同じサイズのコンデンサＣはもとより、径が若干異なっているコンデンサＣであったり、コンデンサＣの径寸法にばらつきがあったりしても、緩み無く確実に固定し得ることとなる。
【００３３】
このように、一対の立壁３，３の各上端に位置する上側支持部３ａ，３ａは、コンデンサＣの斜め上側の斜線部分に当接するので、プリント基板Ｐ上のコンデンサＣの固定部位における高さ寸法は、コンデンサＣの直径にコンデンサホルダ１のベース２の厚み（例えば１ｍｍ）を加えた程度になり、その結果、省スペース化にも対応し得ることとなる。
この際、図３（ａ），（ｂ）に示すように、コンデンサホルダ１のベース２に切欠き２ｃを設けてコンデンサＣの軸心の下側部分をこの切欠き２ｃに落とし込むようにすれば、プリント基板Ｐ上のコンデンサＣの固定部位における高さ寸法をより低くすることができる。なお、このようにベース２に切欠き２ｃを設けた場合には、コンデンサＣをベース２の中央の下側支持部２ａではなく切欠き２ｃの縁で支えることになる、すなわち、コンデンサＣを４点で保持することとなる。
【００３４】
そして、図３（ｃ）に示すように、プリント基板Ｐにも切欠きＰｄを設けてこの切欠きＰｄにコンデンサＣの軸心の下側部分を落とし込むようにすれば、プリント基板Ｐ上のコンデンサＣの固定部位における高さ寸法をより一層低くすることができる。
さらに、このコンデンサホルダ１では、ベース２における一対の立壁３，３間に、コンデンサＣの防爆部Ｃａ側端部及びリード端子Ｃｂが引き出される側の端部のいずれをも位置させることができるので、使い勝手が良いものとなり、例えば、図４（ａ）に示すように、このコンデンサホルダ１によってリード端子Ｃｂが引き出される側の端部を固定したり、図４（ｂ）に示すように、このコンデンサホルダ１を二個用いてコンデンサＣの防爆部Ｃａ側端部及びリード端子Ｃｂ側端部の双方を固定したりすることが可能である。
【００３５】
上記した実施例では、一対の立壁３，３の各上側支持部３ａ，３ａに微小な突起３ｂ，３ｂを形成し、これらの微小な突起３ｂ，３ｂが弾性変形しつつコンデンサＣの軸心の上側部分を押圧する場合を説明したが、これに限定されるものではなく、他の構成として、例えば、図５（ａ）に示すように、一対の立壁３，３の各上側支持部３ａ，３ａ自体にばね性を持たせて、これらの上側支持部３ａ，３ａでコンデンサＣの軸心の上側部分を押圧するように成すことも可能である。
【００３６】
また、上記した実施例では、一対の係止部４，４をベース２に一体で設けた場合を説明したが、これに限定されるものではなく、他の構成として、例えば、図５（ｂ）に示すように、一対の立壁３，３の各上端に、該立壁３，３に沿う一対の脚片（係止部）７，７を一体で形成するようにしてもよく、この場合には、一対の脚片７，７がプリント基板Ｐに形成された一対の固定孔Ｐａ，Ｐａ（あるいは一つの固定孔の縁部）に突っ張るような状態で係止するようになることから、プリント基板Ｐに対してコンデンサホルダ１自体をがたつくこと無くより強固に装着し得ることとなる。
【００３７】
図６及び図７は本発明に係るコンデンサホルダのさらに他の実施例を示している。
図６に示すように、このコンデンサホルダ１では、係止部４が、一対の立壁３，３の各下端にそれぞれ一体で形成されていて、これらの立壁３，３の各上側支持部３ａ，３ａ同士が離間する方向に移動するのに伴って互いに接近して、プリント基板Ｐの固定孔Ｐａ，Ｐａにそれぞれ係止されるようになっている（図６（ａ）白抜き矢印方向）。
【００３８】
また、一対の係止部４，４は、一対の立壁３，３の各上側支持部３ａ，３ａ同士を接近させるのに伴って互いに離間して、プリント基板Ｐの固定孔Ｐａ，Ｐａに対する係止状態がそれぞれ解除されるようになっている（図６（ａ）矢印方向）。
さらに、このコンデンサホルダ１の一対の係止部４には、プリント基板Ｐの固定孔Ｐａに係止させた状態において、この固定孔Ｐａの縁部に弾性変形しつつ圧接することで、ベース２に対して該プリント基板Ｐに向かう方向の力（引き付け力）を付与する斜片４ｂが形成してある。
【００３９】
この場合、一対の立壁３，３の各下端には、これらの立壁３，３間にコンデンサＣを位置させた状態において、プリント基板Ｐの固定孔Ｐａ，Ｐａに係止される係止部４，４とともにプリント基板Ｐを挟み込むストッパ８，８が形成されている。
このような構成のコンデンサホルダ１において、まず、図６（ａ）に示すように、プリント基板Ｐに形成された固定孔Ｐａに係止部４を係止させると共に、位置決め孔Ｐｂに位置決め突起６を嵌合させて、ベース２をプリント基板Ｐと接するようにして取り付ける。
【００４０】
この取り付けの際に、一対の立壁３，３の各上側支持部３ａ，３ａ同士を互いに接近させるべく摘む（図６（ａ）矢印方向に移動させる）ようにすると、各係止部４，４が互いに離間してプリント基板Ｐの固定孔Ｐａ，Ｐａをほぼ触れずに通過し得るようになるので、このコンデンサホルダ１のプリント基板Ｐに対する取り付け（取り外し）を簡単に行い得ることとなる。
【００４１】
次いで、図７（ａ）に示すように、このプリント基板Ｐ上の一対の立壁３，３の上側支持部３ａ，３ａを押し広げつつこれらの立壁３，３間にコンデンサＣの防爆部Ｃａ側端部を横置きに寝かせた状態ではめ込む。
このとき、コンデンサＣの押し込みに伴う上側支持部３ａ，３ａ同士の図７（ａ）白抜き矢印方向への移動により、各係止部４，４が一旦プリント基板Ｐから離れるように図７（ａ）矢印方向へ変位する。
【００４２】
続いて、図７（ｂ）に示すように、一対の立壁３，３の各下端に位置するストッパ８，８がプリント基板Ｐに当接すると、図７（ｃ）に示すように、これにより変位が抑制された係止部４，４が矢印方向へ移動することでプリント基板Ｐの固定孔Ｐａ，Ｐａにそれぞれ係止して、ストッパ８，８とともにプリント基板Ｐを表裏から挟み込むので、コンデンサホルダ１自体がプリント基板Ｐに対して強固に固定されることとなり、また、コンデンサＣにより押し広げられている一対の立壁３，３の各上側支持部３ａ，３ａからの反力により、コンデンサＣの保持力も高まることとなる。
【００４３】
加えて、この状態において、一対の係止部４，４に形成した各斜片４ｂ，４ｂが、プリント基板Ｐの固定孔Ｐａの縁部に弾性変形しつつ圧接することで、ベース２に対して該プリント基板Ｐに向かう方向の力（引き付け力）が与えられることから、ベース２がプリント基板Ｐに圧接するようになり、その結果、プリント基板Ｐの厚さ寸法にばらつきがあったとしても、このプリント基板Ｐに対してコンデンサホルダ１自体をがたつくこと無く装着し得ることとなる。
【００４４】
そして、このように、一対の立壁３，３間にコンデンサＣを位置させた状態において、プリント基板Ｐに形成されたリード挿通孔ＰｃにコンデンサＣのリード端子Ｃｂを挿入した後、リード端子Ｃｂをパターンにはんだ付けすると、コンデンサＣのプリント基板Ｐに対する固定作業が完了することとなる。
上記したように、この実施例においても、プリント基板Ｐに対するコンデンサホルダ１の取り付けや、このコンデンサホルダ１に対するコンデンサＣの取り付けが、いずれもワンタッチで行うことができるので、作業効率が向上することとなる。
【００４５】
また、このコンデンサホルダ１では、ベース２における一対の立壁３，３間にコンデンサＣの防爆部Ｃａを横置きに寝かせた状態ではめ込むと、コンデンサＣの軸心の下側部分に下側支持部２ａが当接してこれを支え、一方、上側支持部３ａ，３ａがコンデンサＣに斜め上側から当接してこれを支えるので、コンデンサＣは３点で保持されることとなるので、同じサイズのコンデンサＣはもとより、径が若干異なっているコンデンサＣであったり、コンデンサＣの径寸法にばらつきがあったりしても、緩み無く確実に固定し得ることとなる。
【００４６】
本発明に係るコンデンサホルダの構成は、上記した実施例の構成に限定されるものではない。
【符号の説明】
【００４７】
１  コンデンサホルダ
２  ベース
２ａ  下側支持部
２ｂ  突起
３  立壁
３ａ  上側支持部
３ｂ  突起
４  係止部
４ａ，４ｂ  斜片
７  脚片（係止部）
８  ストッパ
Ｃ  コンデンサ
Ｐ  プリント基板
Ｐａ  固定孔
【図１】
2011151184.tif 000003
【図２】
2011151184.tif 000004
【図３】
2011151184.tif 000005
【図４】
2011151184.tif 000006
【図５】
2011151184.tif 000007
【図６】
2011151184.tif 000008
【図７】
2011151184.tif 000009